【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
ネットワーク上のデータを管理する管理サーバと通信ができる場合に前記データへアクセス可能とする情報処理装置であって、
前記管理サーバと通信できない場合に利用する情報であって、前記データの利用を制限するための利用制限情報を、前記管理サーバから取得する取得手段と、
前記取得手段が前記管理サーバから前記利用制限情報を取得した場合に、取得した前記利用制限情報に従い前記データを利用する利用手段と
を具備することを特徴とする情報処理装置。
【請求項２】
前記利用制限情報は、前記管理サーバにて管理されている前記データに対するユーザ別のアクセス権に関する情報であるアクセス権情報と、利用回数、利用期限、及び利用内容の少なくとも一つを制限する情報である制限情報とを含むことを特徴とする請求項１に記載の情報処理装置。
【請求項３】
前記利用制限情報は、前記制限情報として、前記利用制限情報を利用可能なユーザを制限する情報を更に含むことを特徴とする請求項２に記載の情報処理装置。
【請求項４】
前記利用制限情報を利用可能なユーザを制限する場合、ユーザを特定する情報であるユーザ情報を記録した記録媒体から前記ユーザ情報を読み出す読み出し手段を更に具備し、
前記取得手段は、前記利用制限情報を前記管理サーバに出力するよう要求する際に、前記読み出し手段が読み出した前記ユーザ情報を前記管理サーバに通知することを特徴とする請求項３に記載の情報処理装置。
【請求項５】
前記利用制限情報を前記データとは別に外部の記録媒体に格納した場合に、前記外部の記録媒体に対してデータの書き込み及び読み出しを行う外部媒体制御手段と、
前記外部媒体制御手段が前記外部の記録媒体から読み出した前記利用制限情報を利用して前記データへのアクセスを制限する制限手段と
を更に具備することを特徴とする請求項１乃至４のいずれか１項に記載の情報処理装置。
【請求項６】
ネットワーク上に存在するデータに対する情報処理装置からのアクセスを管理する管理サーバであって、
前記情報処理装置と通信を行う通信手段と、
前記データに対するアクセスを管理するための情報であるアクセス管理情報を格納する格納手段と、
前記格納手段から前記アクセス管理情報を参照することで、前記通信手段が前記情報処理装置と通信不可能な場合に前記情報処理装置が前記データを利用可能とするための情報であって、前記データの利用を制限するための情報である利用制限情報を生成して、出力する出力手段と
を具備することを特徴とする管理サーバ。
【請求項７】
ネットワーク上のデータを管理する管理サーバと、前記管理サーバと通信ができる場合に前記データへアクセス可能とする情報処理装置とを備えるデータ管理システムであって、
前記管理サーバは、
前記情報処理装置と通信を行う通信手段と、
前記データに対するアクセスを管理するための情報であるアクセス管理情報を格納する格納手段と、
前記情報処理装置からの要求に応じて、前記格納手段から前記アクセス管理情報を参照することで、前記通信手段が前記情報処理装置と通信不可能になった場合でも前記情報処
理装置が前記データを利用可能とするための情報であって、前記データの利用を制限するための情報である利用制限情報を生成して、出力する出力手段と
を具備し、
前記情報処理装置は、
前記管理サーバに対して前記利用制限情報を要求し、前記管理サーバから前記利用制限情報を取得する取得手段と、
前記取得手段が前記管理サーバから前記利用制限情報を取得した場合に、前記利用制限情報に従い前記データを利用する利用手段と
を具備することを特徴とするデータ管理システム。
【請求項８】
ネットワーク上のデータを管理する管理サーバと通信ができる場合に前記データへアクセス可能とする情報処理装置を用いた情報処理方法であって、
前記管理サーバと通信できない場合に利用する情報であって、前記データの利用を制限するための利用制限情報を、前記管理サーバから取得する取得ステップと、
前記取得ステップで前記管理サーバから前記利用制限情報を取得した場合に、取得した前記利用制限情報に従い前記データを利用する利用ステップと
を有することを特徴とする情報処理方法。
【請求項９】
ネットワーク上のデータを管理する管理サーバと通信ができる場合に前記データへアクセス可能とする情報処理装置であって、
前記データに対する種々の処理を受け付ける受付手段と、
前記管理サーバと通信可能であるか否かを判断する通信判断手段と、
前記通信判断手段において前記管理サーバと通信不可能と判断した場合に、前記管理サーバと通信不可能になった場合でも前記データを利用可能とするための情報であって、前記データの利用を制限するための情報である利用制限情報を参照して、前記受付手段が受け付けた処理を前記データに対して行ってよいか否かを判断する処理判断手段と、
前記処理判断手段の判断に応じて、前記データに対して前記受付手段が受け付けた処理を行う処理手段と
を具備することを特徴とする情報処理装置。
【請求項１０】
前記利用制限情報は、前記管理サーバにて管理されている前記データに対するユーザ別のアクセス権に関する情報であるアクセス権情報と、利用回数、利用期限、及び利用内容の少なくとも一つを制限する情報である制限情報とを含むことを特徴とする請求項９に記載の情報処理装置。
【請求項１１】
前記利用制限情報が外部の記録媒体に格納されている場合に、前記外部の記録媒体に対してデータの書き込み及び読み出しを行う外部媒体制御手段を更に具備し、
前記処理判断手段は、前記外部媒体制御手段が前記外部の記録媒体から読み出した前記利用制限情報を利用して前記データに対して処理を行ってよいか否かを判断すること
を特徴とする請求項９又は１０に記載の情報処理装置。
【請求項１２】
前記処理判断手段が前記データに対する処理を行ってよいと判断した場合に、前記受付手段が受け付けた処理の履歴情報及び当該処理による前記データの変更内容に関する情報を前記データに含ませる情報制御手段を更に具備することを特徴とする請求項９乃至１１のいずれか１項に記載の情報処理装置。
【請求項１３】
前記通信判断手段が前記管理サーバと通信可能であると判断した場合に、前記管理サーバへ前記データに対する処理の認証を要求する認証要求手段と、
前記認証要求手段の要求に応じて前記管理サーバから認証を得た場合に、前記認証要求手段が認証対象とするデータが、前記情報制御手段により前記履歴情報及び前記変更内容
に関する情報を含むか否かを判断する情報判断手段と、
前記情報判断手段が当該データに前記履歴情報及び変更内容に関する情報が含まれると判断した場合に、当該データに前記変更内容を反映させる変更内容反映手段を更に具備することを特徴とする請求項１２に記載の情報処理装置。
【請求項１４】
前記変更内容反映手段により前記データに前記変更内容が反映された場合に、前記管理サーバへ前記履歴情報を送信する送信手段を更に具備することを特徴とする請求項１３に記載の情報処理装置。
【請求項１５】
ネットワーク上のデータを管理する管理サーバと、前記管理サーバと通信ができる場合に前記データへアクセス可能とする情報処理装置とを備えるデータ管理システムであって、
前記管理サーバは、
前記情報処理装置と通信を行う通信手段と、
前記データに対するアクセスを管理するための情報であるアクセス管理情報を格納する格納手段と、
前記情報処理装置からの要求に応じて、前記格納手段から前記アクセス管理情報を参照することで、前記通信手段が前記情報処理装置と通信不可能になった場合でも前記情報処理装置が前記データを利用可能とするための情報であって、前記データの利用を制限するための情報である利用制限情報を生成して、出力する出力手段と
を具備し、
前記情報処理装置は、
前記データに対する種々の処理を受け付ける受付手段と、
前記管理サーバと通信可能であるか否かを判断する通信判断手段と、
前記通信判断手段において前記管理サーバと通信不可能と判断した場合に、前記管理サーバの前記出力手段が出力した前記利用制限情報を参照して、前記受付手段が受け付けた処理を前記データに対して行ってよいか否かを判断する処理判断手段と、
前記処理判断手段の判断に応じて、前記データに対して前記受付手段が受け付けた処理を行う処理手段と
を具備することを特徴とするデータ管理システム。
【請求項１６】
ネットワーク上のデータを管理する管理サーバと通信ができる場合に前記データへアクセス可能とする情報処理装置を用いた情報処理方法であって、
前記データに対する種々の処理を受け付ける受付ステップと、
前記管理サーバと通信可能であるか否かを判断する通信判断ステップと、
前記通信判断ステップにおいて前記管理サーバと通信不可能と判断した場合に、前記管理サーバと通信不可能になった場合でも前記データを利用可能とするための情報であって、前記データの利用を制限するための情報である利用制限情報を参照して、前記受付ステップで受け付けた処理を前記データに対して行ってよいか否かを判断する処理判断ステップと、
前記処理判断ステップの判断に応じて、前記データに対して前記受付ステップで受け付けた処理を行う処理ステップと
を有することを特徴とする情報処理方法。
【請求項１７】
請求項８又は１６に記載の情報処理方法をコンピュータに実行させるためのプログラム。
【請求項１８】
管理サーバから認証が取得できるか否かを判別する判別手段と、
前記判別手段により該管理サーバから認証が取得できないと判別された場合、データの利用制限情報に従ってデータの処理を行い、前記判別手段により該管理サーバから認証が取得できると判別された場合、該管理サーバからのアクセス権情報に従ってデータ処理を行う処理手段と
を有することを特徴とする情報処理装置。
【請求項１９】
管理サーバから認証が取得できるか否かを判別する判別手段と、
前記判別手段により該管理サーバから認証が取得できないと判別された場合、データの仮データ部を変更し、前記判別手段により該管理サーバから認証が取得できると判別された場合、データの仮データ部に基づきデータの実データ部を変更する処理手段と
を有することを特徴とする情報処理装置。
【手続補正２】
【補正対象書類名】明細書
【補正対象項目名】００１９
【補正方法】変更
【補正の内容】
【００１９】
また、本発明によるプログラムは、請求項８又は１６に記載の情報処理方法をコンピュータに実行させるためのプログラムである。
また、本発明の情報処理装置は、管理サーバから認証が取得できるか否かを判別する判別手段と、前記判別手段により該管理サーバから認証が取得できないと判別された場合、データの利用制限情報に従ってデータの処理を行い、前記判別手段により該管理サーバから認証が取得できると判別された場合、該管理サーバからのアクセス権情報に従ってデータ処理を行う処理手段とを有することを特徴とする。
また、本発明の情報処理装置は、管理サーバから認証が取得できるか否かを判別する判別手段と、前記判別手段により該管理サーバから認証が取得できないと判別された場合、データの仮データ部を変更し、前記判別手段により該管理サーバから認証が取得できると判別された場合、データの仮データ部に基づきデータの実データ部を変更する処理手段とを有することを特徴とする。